(57)【要約】【課題】本発明は、光源の光軸を反射面に沿って配することで、輝度分布を均一にしつつ、光源から表示パネルまでの間隔を狭くすることができる照明装置、並びに、表示装置を提供することを目的とした。【解決手段】表示装置１は、照明装置２と、照明装置２が載置される照明ケース６と、光を反射する側面反射壁と光を透過可能な表示パネル１３とを有した表示部材５とを備えた構成である。照明装置２は、複数の光源８を備えた光源集合体９を有しており、基材１０に光源集合体９が複数並べて取り付けられている。光源８は、基材１０の反射面２６側に露出しており、光源８の光軸が反射面２６に沿って配されている。これにより、ほぼ全ての光が反射面２６又は側面反射壁１４に反射して表示パネル１３を照射するため、輝度分布のムラが抑制されると共に、表示装置１の厚みを薄くできる。【選択図】図１
2010277964.tif 000002
【特許請求の範囲】
【請求項１】
光を反射する反射面を有する板状の基材と、当該基材の反射面側に露出するように配置された光源とを備え、
前記光源は、その光軸が前記反射面に沿う方向に配されていることを特徴とする照明装置。
【請求項２】
前記光源を複数備え、
当該複数の光源が光源集合体を形成していることを特徴とする請求項１に記載の照明装置。
【請求項３】
前記光源集合体を形成する複数の光源は、同一の円周上に配置されていることを特徴とする請求項２に記載の照明装置。
【請求項４】
前記複数の光源の光軸は、放射状に向いていることを特徴とする請求項３に記載の照明装置。
【請求項５】
反射面から立設して光を反射する囲繞反射壁を有し、
光源集合体を形成する光源の光軸が、囲繞反射壁に交差することを特徴とする請求項２乃至４のいずれかに記載の照明装置。
【請求項６】
光源集合体は、電気的な抵抗を発揮する抵抗板を有し、
光源集合体を形成する光源と抵抗板が、それらの部材を電気的に接続する電線によって、直列に接続されていることを特徴とする請求項２乃至５のいずれかに記載の照明装置。
【請求項７】
個前記光源集合体を複数備え、
各光源集合体と、外部電源とは、電線を介して並列に接続されていることを特徴とする請求項２乃至６のいずれかに記載の照明装置。
【請求項８】
基材は、ポリエチレンテレフタレートからなることを特徴とする請求項１乃至７のいずれかに記載の照明装置。
【請求項９】
基材における反射面と対向する側には、絶縁体からなる絶縁部材が固定されていることを特徴とする請求項１乃至８のいずれかに記載の照明装置。
【請求項１０】
前記光源は、発光ダイオードからなるものであることを特徴とする請求項１乃至９のいずれかに記載の照明装置。
【請求項１１】
請求項１乃至１０のいずれかに記載の照明装置と、光を反射する側面反射壁と、光を透過可能な表示パネルとを有し、
前記表示パネルは、前記照明装置の反射面と対向する位置に配され、
前記側面反射壁は、前記表示パネルと前記照明装置の基材とを側面から囲むように配されていることを特徴とする表示装置。
【発明の詳細な説明】
【技術分野】
【０００１】
本発明は、照明装置、並びに、表示装置に関するもので、特には発光ダイオード（Ｌｉｇｈｔ  Ｅｍｉｔｔｉｎｇ  Ｄｉｏｄｅ：ＬＥＤ）を光源として用いた輝度分布のムラの発生を抑制できる照明装置、並びに、表示装置に関するものである。
【背景技術】
【０００２】
空港や駅、商業用のビル等では、広告用の情報等を表示する表示装置が設置されている。表示装置は、一般的に、広告フィルム等を載せる非自発光の表示パネルが備えられており、バックライト（照明装置）により視認性を向上させている。従来より、その照明装置の光源には、蛍光灯やネオン管が広く用いられている。しかしながら、それらの光源を用いた照明装置は、比較的光源の寿命が短く、ランニングコストが高くなるといった不満があった。
【０００３】
そこで、最近では、表示装置に用いられる光源として、ＬＥＤ（発光ダイオード）が用いられている。ＬＥＤは、寿命が長く、低電圧でも照明機能を果たすため省エネルギーであり、さらに半導体製造技術に基づいて製造されているため、量産性、省コスト性にも優れた特徴を有している。
【０００４】
ところが、ＬＥＤは点光源という特徴も兼ね備えているため、光源と照射対象の光軸方向の距離が近いと、光源１個あたりの照射領域が狭くなる。即ち、表示装置における表示パネルをＬＥＤで直接照射する場合、図５（ｂ）に示すように、ＬＥＤ１個あたりの照射領域が極端に狭くなり、輝度分布のムラが生じやすかった。そこで、輝度分布のムラを抑制するために、ＬＥＤ１個あたりの照射領域を拡げるか、ＬＥＤを密に配置して照射領域を拡げる方策が勘案される。
【０００５】
そこで、特許文献１には、表示装置に配した際に、光源からパネル部までの間にレンズを設けて、表示パネルに対するＬＥＤ１個あたりの照射領域を拡げることを可能とした照明装置が開示されている。即ち、光源からレンズに達した光は、一部が屈折して直接表示パネルを照射し、残部は反射して基材の反射面でさらに反射して表示パネルを照射する。これにより、特許文献１の照明装置は、表示パネルを直接光のみで照射する場合と比較すると、光源１個あたりの照射領域が拡大され、表示パネルにおける輝度分布のムラが抑制される。
【先行技術文献】
【特許文献】
【０００６】
【特許文献１】特開２００９−３６９５３号公報
【発明の開示】
【発明が解決しようとする課題】
【０００７】
しかしながら、特許文献１の照明装置では、表示装置に配置された際に、表示装置自身を薄型にすることが困難であった。ここで、前記したように、表示装置においては、主にＬＥＤの直接光を表示パネルに照射する構成の場合、光源と表示パネルの光軸方向の距離を近づけると、光源１個あたりの照射領域が狭くなることが知られている。
【０００８】
具体的には、特許文献１の照明装置は、レンズを用いて光を屈折及び反射させて表示パネルを照射している。即ち、レンズで屈折した光は直接表示パネルに照射され、レンズで反射した光は基材でさらに拡散反射して表示パネルに照射される。この屈折した直接光と反射光の双方で照射領域を拡げて輝度分布のムラを抑制しているが、表示パネルに到達する光は、直接光で照射される光の割合が高い構成である。換言すると、表示パネルに照射される光は、直接光の光量の方が反射光の光量よりも多い。
【０００９】
従って、直接光と反射光の光量を均一にして、輝度分布にムラを発生させないためには、光源と表示パネルの間隔を一定以上離す必要があった。即ち、特許文献１に記載の照明装置では、光源から表示パネルまでの間隔を極端に縮めることは困難であった。これにより、この照明装置を用いた表示装置では、空港や駅、あるいは商業用ビル等に利用される場合、表示装置の厚みが目立ち、景観に馴染まないといった問題を生じない。また、多くの人の通行がある空港や駅、商業用ビルでは、表示装置の厚みが障害となり、危険を招くことが懸念される。
【００１０】
そこで、本発明は、上述した技術の問題に鑑み、光源の光軸を反射面に沿って配することで、輝度分布を均一にしつつ、光源から表示パネルまでの間隔を狭くすることができる照明装置、並びに、表示装置を提供することを課題とする。
【課題を解決するための手段】
【００１１】
上記課題を解決するための請求項１に記載の発明は、光を反射する反射面を有する板状の基材と、当該基材の反射面側に露出するように配置された光源とを備え、前記光源は、その光軸が前記反射面に沿う方向に配されていることを特徴とする照明装置である。
【００１２】
本発明の照明装置は、基材に設けられた光源が反射面側に露出するように配置され、さらに光源の光軸が反射面に沿うように配されている。ここで、光は、ＬＥＤのような点光源であっても、進行するにしたがってテーパー状に照射領域が拡がるため、光軸が反射面に沿って平行であっても、光はいずれ反射面に衝突して反射光を生じる。また、反射面上で光源同士の光軸を互いに交差させるように配置することも可能である。
ここで、先に説明した様に、従来技術の照明装置であれば、反射面に対してほぼ垂直上向きに光軸が向くように配置していたため、レンズなどを用いて反射光を生じさせても、光軸から照射される光の殆どは、光源の光軸方向に進行する直接光である。換言すると、直接光のほうが、反射光よりも照射割合が高いため、光源から近い照射対象に対しては、光量に差が生じやすく、輝度分布にムラが発生する場合がある。
【００１３】
一方、本発明の照明装置であれば、光源から照射された光は、一定距離離れたところを基準に拡散反射した光となり照射対象に照射することが可能である。これにより、本発明の照明装置であれば、少ない数の光源であっても、照射領域を拡大でき、ほぼ同じ光量の反射光を照射対象に照射できるため、輝度分布のムラを発生させ難い。そこで、本発明の照明装置を、例えば、広告用の情報を表示する表示装置のバックライトとして採用すると、表示装置における表示部に照射される反射光は、ほぼ同じ光量となるため、輝度分布にムラが生じにくい。
また、本発明の照明装置を表示装置に配した場合、光源の光軸が反射面に沿うように光源を配しているため、先に説明したように、光源の照射領域を考慮して、光源から表示部まで間隔を一定以上離す等の調整をする必要が殆どない。即ち、本発明の照明装置を表示装置に配した場合、光源から表示部までの間隔を狭くできるため、表示装置の厚みを薄くできる。これにより、本発明の照明装置を表示装置に採用すれば、空港や駅などに十分な設置空間がなくても、薄型であるため、表示装置自身が通行人などの障害となることがない。
【００１４】
請求項２に記載の発明は、前記光源を複数備え、当該複数の光源が光源集合体を形成していることを特徴とする請求項１に記載の照明装置である。
【００１５】
かかる構成によれば、光源集合体を予め工場で組み立てておくことができる。さらに、光源集合体における複数の光源を、いかなる形状の基材にも適応できるように容易に配置させることができ、照明装置の生産性が向上する。
【００１６】
請求項３に記載の発明は、前記光源集合体を形成する複数の光源は、同一の円周上に配置されていることを特徴とする請求項２に記載の照明装置である。
【００１７】
かかる構成によれば、いかなる形状の基材であっても、効率的に光を照射することが可能である。これにより、輝度分布をより均一にすることが可能である。即ち、本発明の照明装置を表示装置に採用した場合、表示部の輝度分布をより効果的に抑制することができる。
【００１８】
前記複数の光源の光軸は、放射状に向いていることが好ましい。（請求項４）
【００１９】
請求項５に記載の発明は、反射面から立設して光を反射する囲繞反射壁を有し、光源集合体を形成する光源の光軸が、囲繞反射壁に交差することを特徴とする請求項２乃至４のいずれかに記載の照明装置である。
【００２０】
本発明の照明装置は、光源集合体を囲繞するように囲繞反射壁が配され、光源の光軸がその囲繞反射壁に交差するため、光を囲繞反射壁で反射させることが可能である。これにより、例えば、基材が曲面状であっても、光源からの光を反射面と囲繞反射壁で反射させることができるため、基材の形状を問わず輝度分布のムラを抑制することができる。ここで、基材が曲面形状の場合、光源は、光源の光軸が当該光源の直下における基材の接線に沿って配されていると考える。
【００２１】
請求項６に記載の発明は、光源集合体は、電気的な抵抗を発揮する抵抗板を有し、光源集合体を形成する光源と抵抗板が、それらの部材を電気的に接続する電線によって、直列に接続されていることを特徴とする請求項２乃至５のいずれかに記載の照明装置である。
【００２２】
本発明の照明装置は、光源集合体において、抵抗板と光源とが電線を介して直列に接続されているため、光源の数と同じ数の抵抗板を要しない。また、直列に接続しているため、回路が単純である。即ち、本発明によれば、生産コストの低減を図れ、さらに生産性を向上させることができる。
また、直列に接続した場合、電源電圧が高い場合であっても、光源集合体を形成する光源を同じ電流値で点灯させることができる。即ち、本発明によれば、光源集合体をなす光源を多く用いても、ほぼ均等な輝度で照らすことが可能である。
【００２３】
請求項７に記載の発明は、個前記光源集合体を複数備え、各光源集合体と、外部電源とは、電線を介して並列に接続されていることを特徴とする請求項２乃至６のいずれかに記載の照明装置である。
【００２４】
かかる構成によれば、外部電源を極端に大きくしなくても、各光源集合体を均一に点灯させることができる。また、いずれかの光源集合体に不具合が生じた場合であっても、それ以外の他の光源集合体は点灯できるため、複数の光源集合体が全消灯する可能性を低減できる。
【００２５】
基材は、ポリエチレンテレフタレートからなることが推奨される。（請求項８）
【００２６】
請求項９に記載の発明は、基材における反射面と対向する側には、絶縁体からなる絶縁部材が固定されていることを特徴とする請求項１乃至８のいずれかに記載の照明装置である。
【００２７】
かかる構成によれば、電気が漏電した場合であっても、危険を回避することができる。
【００２８】
光源は、発光ダイオードからなるものであることが推奨される。（請求項１０）
【００２９】
請求項１１に記載の発明は、請求項１乃至１０のいずれかに記載の照明装置と、光を反射する側面反射壁と、光を透過可能な表示パネルとを有し、前記表示パネルは、前記照明装置の反射面と対向する位置に配され、前記側面反射壁は、前記表示パネルと前記照明装置の基材とを側面から囲むように配されていることを特徴とする表示装置である。
【００３０】
請求項１１に記載の表示装置は、前記した照明装置と、側面反射壁と、表示パネルとを有している。
そのため、本発明の表示装置では、照明装置における光源の光軸が基材の反射面に沿って配されているため、当該反射面上で光源から照射された殆どの光を反射光とさせることができる。また、側面反射壁においても、光を反射させることが可能であるため、照射領域に偏りが生じにくい。これにより、光量がほぼ等しい光を、表示パネルに照射できる。即ち、表示パネルの照射領域内に、効率的に反射光を照射できる。即ち、本発明の表示装置によれば、表示パネルにおいて、輝度分布のムラを抑制することができる。
ここで、先に説明した様に、従来技術の照明装置であれば、反射面に対してほぼ垂直上向きに光軸が向くように配置していたため、光源の照射領域を考慮して、光源から表示パネルまでの距離を一定以上離す等の調整が必要であった。
一方、本発明の表示装置では、照明装置の光源の光軸が表示パネルに直接向いておらず、光源の光軸は反射面及び表示部に沿って配しているため、光源の照射領域を考慮して、光源から表示パネルまで間隔を一定以上離す等の調整をする必要が殆どない。即ち、本発明の表示装置によれば、従来技術と比較すると全厚を薄くできるため、空港や駅などにおいて十分な設置空間がなくても、表示装置自身が通行人などの障害となることがない。
【発明の効果】
【００３１】
本発明の照明装置、並びに表示装置では、光源の光軸を反射面に沿って配することで、輝度分布を均一にしつつ、光源から表示パネルまでの間隔を狭くすることができる。そのため、設置空間に制限がある場所であっても、通行人などの障害となることがない。
【図面の簡単な説明】
【００３２】
【図１】本発明の実施形態に係る表示装置を示す分解斜視図である。
【図２】光源集合体を示す斜視図で、（ａ）は表側、（ｂ）は裏側である。
【図３】本発明の実施形態に係る照明装置の裏側から見たを示す分解斜視図である。
【図４】本発明の実施形態に係る照明装置の一部を示す概略回路図である。
【図５】表示パネルにおける光の照射状態を示す説明図で、（ａ）は本発明の実施形態に係る照明装置、（ｂ）は従来技術の照明装置である。
【図６】（ａ）は表示装置の変形例を示す斜視図で、（ｂ）は（ａ）のＡ−Ａ断面における概念図である。
【発明を実施するための形態】
【００３３】
続いて、本発明の実施形態について、図面を参照しながら詳細に説明する。なお、以下の説明では、上下左右の位置関係は、特に断りのない限り、図面を基準として説明する。
【００３４】
本発明の表示装置１は、空港や駅、商業用ビルにおいて、広告用の情報等を表示させることが可能なもので、情報を視認しやすくするため、照明装置２を備えてなるものである。表示装置１は、図１に示すように、照明装置２と、その照明装置２が収容される表示部材５と照明ケース６とを有する。
【００３５】
照明装置２は、光源８に白色に発光するＬＥＤが採用された光源ユニット（光源集合体）９と、光源ユニット９を取り付け可能とした基材１０と、漏電による危険を回避する絶縁部材１１を備えている。なお、本実施形態の表示装置１は、直流電圧により照明装置２を点灯させるものであるため、ＡＣ／ＤＣアダプタ１９を介して図示しない外部電源と接続される。
【００３６】
光源ユニット９は、図２に示すように、円板状の底板２０及び底板２０よりも径が小さいカバー２１と、１２個の光源８と、電気的な抵抗となる２つの抵抗板１２とを備えている。
光源８は、公知技術の白色に発光するＬＥＤであり、図４に示すように、抵抗板１２と共に直列に接続されている。これにより、図示しない外部電源の電圧が大きい場合であっても、最適な電流に調整しつつ、直列に接続された全ての光源８をほぼ同一の輝度で照射させることが可能となる。なお、本実施形態では、抵抗板１２を２枚用いているが、本発明はこれに限定されず、光源８の数等の条件に応じて、それ以下あるいは以上の数の抵抗板１２を用いた構成であっても構わない。
【００３７】
光源ユニット９の底板２０には、図２（ｂ）に示すように、裏面側に露出した電気的な接続を可能としたプラスマイナスが１組となった４組の接点２３ａ〜２３ｄと、前記した２枚の抵抗板１２とが設けられている。抵抗板１２は、底板２０のほぼ中心に位置しており、接点２３ａ〜２３ｄは、抵抗板１２に対して「十」の文字を描くように配されている。接点２３ａ〜２３ｄは、図３に示す電線２２ａ，２２ｂが接続され、隣接する光源ユニット９と並列に接続可能としたものである。
【００３８】
一方、図２（ａ）に示すように、底板２０の表面側には、底板２０の外周近傍に光源８が平面状に並べられている。具体的には、１２個の光源８はカバー２１の外周に接するように並べられ、光源８の光軸が底板２０の中心に対して外側に向くように配されている。換言すると、底板２０に配置された光源８は、同一円周上に光軸が放射状に延びるような配置とされている。即ち、同一の光源ユニット９に備えられた光源８は、それぞれの光軸が、光の進行方向において互いに交差することがない。
【００３９】
光源ユニット９のカバー２１は、底板２０の表面側に取り付けられるもので、主に光源ユニット９の内部を保護するものである。具体的には、光源８を電気的に接続している電線２４（図４）が、外部に露出しないように保護している。これにより、塵埃などがカバー２１内部に混入することが防止されるため、漏電することがない。
【００４０】
基材１０は、四角形の板状部材で、表面側にポリエチレンテレフタレート（ＰＥＴ）からなる反射面２６が設けられている。本実施形態の表示装置１では、反射面２６は、光源８からの光を９０パーセント以上拡散反射できるものが採用されている。換言すると、反射面２６は、光源８からの光を殆ど吸収しないため、拡散反射された光の輝度が低下することはない。具体的には、反射面２６は、薄板状でシートで形成されており、例えば「商品名：エムシーペット」（古河電気工業株式会社製）が挙げられる。基材１０の大きさは、縦及び横の長さが国際規格のＡ３サイズ（ＩＳＯ２１６：２９７ｍｍ×４２０ｍｍ）であり、厚みは前記した光源ユニット９の底板２０の厚みとほぼ同じである。また、基材２０には、厚み方向に貫通した１２個の取付孔２５ａ〜２５ｌが設けられている。具体的には、取付孔２５ａ〜２５ｌは、一定の間隔（１００ｍｍ）を空けて図１のｘ方向に４個ずつ、ｙ方向に３個ずつ設けられている。取付孔２５ａ〜２５ｌは、光源ユニット９の底板２０の外径とほぼ同じ大きさであり、各取付孔２５ａ〜２５ｌには、光源ユニット９が１つずつ配される。
【００４１】
基材１０の裏面側（反射面２６と対向する側）には、図３に示すように、絶縁部材１１が固定されている。絶縁部材１１は、絶縁体であるアクリル樹脂よりなる四角形の平面部材である。絶縁部材１１は、光源ユニット９の裏面側に露出する接点２３ａ〜２３ｄや抵抗体１２を保護するもので、基材１０の取付孔２５ａ〜２５ｌとほぼ同じ位置に保護穴２７ａ〜２７ｌが設けられている。保護穴２７ａ〜２７ｌは、外径の大きさが、取付孔２５ａ〜２５ｌよりも小さく、且つ接点２３ａ〜２３ｄに干渉しない程度とされている。即ち、取付孔２５ａ〜２５ｌに配された光源ユニット９は、保護穴２７の内側に接点２３ａ〜２３ｄが位置し、保護穴２７ａ〜２７ｌの縁端より外側で光源ユニット９を支持する。
【００４２】
また、保護穴２７ａ〜２７ｌは、保護溝２８によって繋がれており、保護穴２７ａから２７ｌまでアルファベット順に一筆書き状に繋がれている。これにより、隣接する光源ユニット９同士を繋ぐ電線２２ａ，２２ｂが保護溝２８に収納されるため、断線した場合であっても漏電を防止できる。また、絶縁部材１１の頂点付近に配された保護穴２７ａ，２７ｄ，２７ｉ，２７ｌには、それぞれに隣接する絶縁部材１１の端辺に対してほぼ垂直方向外向きに保護溝２８がさらに設けられている。そのため、図示しない外部電源がいずれの場所にあっても、当該外部電源に最も近い保護溝２８を利用して電線２２ａ，２２ｂを外部に通すことができる。なお、絶縁部材１１の大きさは、縦及び横の長さが基材１０とほぼ同じ長さ（国際規格Ａ３サイズ）で、厚みは基材１０より厚くされている。
【００４３】
照明ケース６は、金属あるいは合成樹脂よりなるもので、図１に示すように、底部６ａ及び側面部６ｂを有し、上面が開放されたケース体である。照明ケース６は、照明装置２が配されるもので、開放面側から照明装置２が嵌め込まれる。即ち、照明ケース６における内側の寸法は、照明装置２の基材１０及び絶縁部材１１の縦及び横の長さ（国際規格Ａ３サイズ）とほぼ同じ寸法である。また、側面部６ｂには、電線２２ａ，２２ｂが通される切欠き２９が設けられている。切欠き２９は、絶縁部材１１に形成された保護溝２８の延長上に形成されており、切欠き２９を介して照明ケース６内部に配された照明装置２と図示しない外部電源とが接続される。
【００４４】
表示部材５は、光を透過する表示パネル１３と、光を反射する反射面を有した側面反射壁１４を有するもので、下面側が開放された筐体である。即ち、表示部材５は、上面に表示パネル１３が配され、四方を囲むように側面反射壁１４が配されている。
【００４５】
表示パネル１３は、白色に着色されたアクリル樹脂よりなるもので、広告用の情報が描かれたフィルムなどが載置されるものである。即ち、表示パネル１３は、照明装置２により照射された光を透過させて、前記フィルムに対して照明効果をもたらす。即ち、この照明効果により、広告用の情報の視認性を向上させることができる。
側面反射壁１４は、基材１０と同様、ポリエチレンテレフタレート（ＰＥＴ）よりなるもので、内側が光を拡散反射させる反射機能を有している。即ち、側面反射壁１４は、照明装置２から照射された直接光又は基材１０に反射した反射光が、反射して表示パネル１３を照射する。また、側面反射壁１４には、照明ケース６の切欠き２９と同様の位置に、切欠き３０が設けられている。即ち、切欠き２９及び切欠き３０は、表示部材５と照明ケース６とを重ね合わせることで、表示部材５と照明ケース６の内外を連通させる貫通孔となる。
【００４６】
次に、本実施形態に係る表示装置１の組み立て構造について説明する。
【００４７】
表示装置１は、図１に示すように、照明ケース６の底部６ａに照明装置２が有する絶縁部材１１が当接するように載置され、表示部材５の表示パネル１３が照明装置２の光源８の光軸と平行となるように配されてなるものである。本実施形態の表示装置１では、表示パネル１３と反射面２６との間隔は、４．５ｃｍ〜５．５ｃｍとされ、好ましくは５．０ｃｍである。なお、このとき表示部材５の側面反射壁１４は、照明ケース６の側面部６ｂの外側に位置しており、側面反射壁１４における内側面の端部側が側面部６ｂと当接状態にある。
【００４８】
ここで、照明装置２に注目すると、基材１０の取付孔２５ａ〜２５ｌに１個ずつ光源ユニット９が取り付けられている。光源ユニット９は、基材１０の反射面２６側では、光源８が反射面２６上に露出し、且つ光源８の光軸が反射面２６に沿うように配されている。ここで、「反射面２６に沿うように」とは、反射面２６が凹凸を有する場合であっても、実質的に反射面２６に沿うように光軸が配されている構成も含むということである。具体的には、本実施形態の表示装置１では、光源８の光軸は反射面２６に対してほぼ平行に配されている。即ち、図５（ａ）に示すように、光源ユニット９が備えた光源８の光軸は、表示パネル１３に直接光を照射しない方向に向けられている。これにより、光源８から照射された光は、基材１０の反射面２６や表示部材１０の側面反射壁１４により拡散反射して表示パネル１３を照射する。
【００４９】
また光源ユニット９における基材１０の裏面側（反射面２６を表側とした場合）では、接点２３ａ〜２３ｄのいずれか１組又は２組に電線２２ａ，２２ｂが接続されて、図４に示すように、外部電源に対して並列接続されている。なお、取付孔２５ａに配された光源ユニット９のみが、接点２３ａ〜２３ｄのうちの１組のみに電線２２ａ，２２ｂが接続されており、取付孔２５ｌに配された光源ユニット９は、ＡＣ／ＤＣアダプタ１９を介して図示しない外部電源と接続されている。そして、各光源ユニット９に備えられた光源８同士は、図４に示すように、抵抗板１２と共に直列に接続されている。即ち、本実施形態の表示装置１は、図示しない外部電源から取付孔２５ｌ側から取付孔２５ａ側に電流を流して、各光源ユニット９の光源８を点灯させる。
【００５０】
次に、本実施形態の表示装置１における光の作用について説明する。
【００５１】
一般的に、ＬＥＤは、点光源であり、光源から照射対象物までの距離（照射距離と呼ぶ）が短いほど、照射領域が狭くなる特徴がある。即ち、図５（ｂ）に示すように、光源１０８からの光を直接表示パネルに照射する場合、照射距離は単純に光源１０８から表示パネル１１３までの垂直長さである。
【００５２】
一方、本実施形態の表示装置１は、図５（ａ）に示すように、光源８からの光を全て反射光として表示パネル１３に照射する場合、照射距離は単純に光源８から表示パネル１３までの垂直長さとはならない。即ち、基材１０の反射面２６に沿って照射された光は、いずれ反射面２６あるいは側面反射壁１４に衝突して、拡散反射する。そのため、光の照射距離は、光源ユニット９の位置（取付孔２５ａ〜２５ｌ）や光源８の照射方向によって異なる。即ち、本実施形態の表示装置１のように、光軸が放射状に向けられて配された光源８を備えた光源ユニット９を、表示パネル１３のバックライトとして一定の間隔（１００ｍｍ）を空けて配置させることで、光量がほぼ等しい光を表示パネル１３に均一（本実施形態における照度は、３０００〜３５００ｌｘ）に照射させることができる。これにより、表示パネル１３に発生する輝度分布のムラを抑制できる。また、前記したように、光源８の光軸を表示パネル１３に対して平行に向けて照射する構成であるため、光源８と表示パネル１３との間隔を狭くしても、従来技術の表示装置よりも、光の照射距離を長くできる。即ち、本実施形態の表示装置１によれば、表示パネル１３における輝度分布を均一にしつつ、光源から表示パネルまでの間隔を狭くすることができる。これにより、表示装置１の厚みを薄くできるため、空港や駅などにおいて十分な設置空間がなくても、表示装置１自身が通行人などの障害となることがない。
【００５３】
上記実施形態では、平面状の表示パネル１３を有する構成を示したが、本発明はこれに限定されるわけではなく、例えば、図６（ａ）に示すように、曲面状の表示パネル３５を有する構成であっても構わない。具体的には、図６（ｂ）に示すように、基材３６や照明ケース等も曲面形状とし、光源ユニット９の周囲に反射面２６から立接した囲繞反射壁１５を取り付ける必要がある。囲繞反射壁１５は、光源８の光軸に交差し、光源ユニット９を囲むように配置する構成が好ましい。これにより、光源８からの光は、反射面２６や囲繞反射壁１５に反射して表示パネル３５に照射されるため、上記実施形態と同様の作用効果を得ることができる。
【００５４】
上記実施形態では、光源ユニット９は、光源８が同一円周上に配された構成を示したが、本発明はこれに限定されず、例えば、楕円状や半円状あるいは四角形状に光源８を配した構成を有した光源ユニットであっても構わない。なお、四角形状に光源８を配する場合、対角線方向に光が照射されないため、光源ユニットの配置を工夫する必要がある。
【００５５】
上記実施形態では、光源ユニット９に光源８を設けて基材１０に配した構成を示したが、本発明はこれに限定されず、光源８を直接基材１０に配した構成であっても構わない。その場合、基材１０に形成する取付孔は、電線２２ａ，２２ｂが挿通できる程度の大きさで構わない。
【００５６】
上記実施形態では、光源８として白色の発光ダイオードを採用した構成を示したが、本発明はこれに限定されず、赤色、黄色、あるいは青色のうちいずれか１種類の発光ダイオードを用いた構成であっても構わない。また、光源８は、複数種類の発光ダイオードを組み合わせて用いた構成であっても構わない。
【００５７】
上記実施形態では、表示パネル１３が国際規格のＡ３程度の大きさを有する構成を示したが、本発明はこれに限定されず、それ以上あるいは以下の大きさであっても構わない。その場合、光源ユニット９を適した数に調整することが好ましい。
【符号の説明】
【００５８】
１    表示装置
２    照明装置
８，１０８    光源
９    光源ユニット（光源集合体）
１０，３６    基材
１２    抵抗板
１３，３５，１１３    表示パネル
１４    側面反射壁
１５    囲繞反射壁
【図１】
2010277964.tif 000003
【図２】
2010277964.tif 000004
【図３】
2010277964.tif 000005
【図４】
2010277964.tif 000006
【図５】
2010277964.tif 000007
【図６】
2010277964.tif 000008